(57)【要約】【課題】ユーザが再生装置の機能を最大限に利用することを容易にする。【解決手段】供給装置（２）から供給される高品質映像を、供給装置（２）との接続に利用されている端子（１３ｄ）が受け入れ不能である場合、供給装置（２）との接続に利用する端子を、高品質映像を受け入れ可能な端子（１３ａ〜ｃ）に切り替えることを勧めるレコメンドを作成するレコメンド作成部（２５）と、上記の場合、供給装置（２）から供給される映像音声データを、低品質映像の映像音声データに切り替えるデータ取得部（２１）と、上記の場合、取得した低品質映像を再生すると共に、レコメンドを再生する再生制御部（２２）と、を備える。【選択図】図１
2015211438.tif 000002
【特許請求の範囲】
【請求項１】
複数の接続子と、上記複数の接続子の何れかに接続された供給装置から供給される映像音声データを取得する取得手段と、上記取得手段が取得した映像音声データに基づいて、該映像音声データが表す映像および音声の一方又は両方を再生する再生手段と、を備えた再生装置において、
上記供給装置から供給される映像音声データのフォーマットが、上記供給装置との接続に利用されている第１の接続子が受け入れ不能なフォーマットである場合、上記供給装置との接続に利用する接続子を、当該映像音声データのフォーマットを受け入れ可能な第２の接続子に切り替えることを勧めるレコメンドを作成するレコメンド作成手段を備え、
上記取得手段は、上記の場合、上記供給装置から供給される映像音声データを、上記第１の接続子が受け入れ可能なフォーマットの映像音声データに切り替え、
上記再生手段は、上記の場合、上記取得手段が取得した映像音声データであって、上記第１の接続子が受け入れ可能なフォーマットの映像音声データに基づいて、映像および音声の一方又は両方を再生すると共に、上記レコメンド作成手段が作成したレコメンドを再生する、
ことを特徴とする再生装置。
【請求項２】
上記第１の接続子の受け入れ可能な映像音声データのフォーマットを示す対応フォーマット情報を、上記第２の接続子の受け入れ可能な映像音声データのフォーマットを示す擬装フォーマット情報に一時的に変更する擬装手段をさらに備えることを特徴とする請求項１に記載の再生装置。
【請求項３】
上記再生手段にレコメンドを再生させるか否かを示すレコメンド再生情報を設定する設定手段をさらに備え、
上記レコメンド再生情報がレコメンドを再生させないことを示す場合、上記再生手段はレコメンドを再生せず、一方、上記レコメンド再生情報がレコメンドを再生させることを示す場合、上記再生手段はレコメンドを再生することを特徴とする請求項１または２に記載の再生装置。
【請求項４】
上記第１の接続子と上記第２の接続子とは、サンプリング周波数、色深度、解像度、フレーム数、音声品質、ＭＨＬ（Mobile High-definition Link）、および、ＡＲＣ（Audio Return Channel）の少なくとも１つに関して、受け入れ可能な映像音声データのフォーマットが異なることを特徴とする請求項１〜３の何れか１項に記載の再生装置。
【請求項５】
複数の接続子と、上記複数の接続子の何れかに接続された供給装置から供給される映像音声データを取得する取得手段と、上記取得手段が取得した映像音声データに基づいて、該映像音声データが表す映像および音声の一方又は両方を再生する再生手段と、を備えた再生装置において、
上記供給装置との接続に利用されている第３の接続子が受け入れ可能な映像音声データのフォーマットの１つを特定フォーマットとして、上記取得手段が取得した映像音声データのフォーマットが、上記特定フォーマットではなく、かつ、上記特定フォーマットを受け入れ不能な第４の接続子であって、上記取得手段が取得した映像音声データのフォーマットを受け入れ可能な第４の接続子がある場合、上記供給装置との接続に利用する接続子を、第４の接続子に切り替えることを勧めるレコメンドを作成するレコメンド作成手段を備え、
上記再生手段は、上記の場合、上記取得手段が取得した映像音声データに基づいて、映像および音声の一方又は両方を再生すると共に、上記レコメンド作成手段が作成したレコメンドを再生する、
ことを特徴とする再生装置。
【請求項６】
請求項１〜５の何れか１項に記載の再生装置を備えることを特徴とするテレビジョン受信機。
【請求項７】
複数の接続子と、上記複数の接続子の何れかに接続された供給装置から供給される映像音声データを取得する取得手段と、上記取得手段が取得した映像音声データに基づいて、該映像音声データが表す映像および音声の一方又は両方を再生する再生手段と、を備えた再生装置の制御方法において、
上記供給装置から供給される映像音声データのフォーマットが、上記供給装置との接続に利用されている第１の接続子が受け入れ不能なフォーマットである場合、上記供給装置との接続に利用する接続子を、当該映像音声データのフォーマットを受け入れ可能な第２の接続子に切り替えることを勧めるレコメンドを作成するレコメンド作成ステップと、
上記の場合、上記供給装置から供給される映像音声データを、上記第１の接続子が受け入れ可能なフォーマットの映像音声データに切り替えて、当該映像音声データを上記供給装置から取得する取得ステップと、
上記の場合、上記取得ステップにおいて取得された映像音声データであって、上記第１の接続子が受け入れ可能なフォーマットの映像音声データに基づいて、映像および音声の一方又は両方を再生すると共に、上記レコメンド作成ステップにおいて作成されたレコメンドを再生する再生ステップと、を含む
ことを特徴とする再生装置の制御方法。
【請求項８】
複数の接続子と、上記複数の接続子の何れかに接続された供給装置から供給される映像音声データを取得する取得手段と、上記取得手段が取得した映像音声データに基づいて、該映像音声データが表す映像および音声の一方又は両方を再生する再生手段と、を備えた再生装置の制御方法において、
上記供給装置から第３の接続子を介して映像音声データを取得する取得ステップと、
上記第３の接続子が受け入れ可能な映像音声データのフォーマットの１つを特定フォーマットとして、上記取得ステップにおいて取得された映像音声データのフォーマットが、上記特定フォーマットではなく、かつ、上記特定フォーマットを受け入れ不能な第４の接続子であって、上記取得ステップにおいて取得された映像音声データのフォーマットを受け入れ可能な第４の接続子がある場合、上記供給装置との接続に利用する接続子を、第４の接続子に切り替えることを勧めるレコメンドを作成するレコメンド作成ステップと、
上記の場合、上記取得ステップにおいて取得された映像音声データに基づいて、映像および音声の一方又は両方を再生すると共に、上記レコメンド作成ステップにおいて作成されたレコメンドを再生する再生ステップと、を含む
ことを特徴とする再生装置の制御方法。
【請求項９】
請求項１〜５の何れか１項に記載の再生装置としてコンピュータを機能させるための制御プログラムであって、コンピュータを上記各手段として機能させるための制御プログラム。
【請求項１０】
請求項９に記載の制御プログラムを記録したコンピュータ読み取り可能な記録媒体。
【発明の詳細な説明】
【技術分野】
【０００１】
本発明は、映像音声データを供給する供給装置と接続し、当該供給装置から取得した映像音声データに基づいて少なくとも映像または音声を再生する再生装置、テレビジョン受信機、再生装置の制御方法、制御プログラムおよび記録媒体に関する。
【背景技術】
【０００２】
近年、現行の高精細度テレビジョン放送（High Definition television：ＨＤＴＶ（画素数：横１９２０×縦１０８０））の４倍の画素数（いわゆる４Ｋ）あるいは１６倍の画素数（いわゆる８Ｋ）の映像規格（スーパーハイビジョンＳＨＶもこの１つ）の映像を再生可能なテレビが開発されている。
【０００３】
４Ｋおよび８Ｋの映像サービスは、現在過渡期にあるため、利用目的や通信環境等に応じて、様々なデータフォーマットが使用されている。そのため、テレビ等の再生装置は、非対応のフォーマットの映像音声データを受信する場合がある。この場合、再生装置は正常に映像および音声を再生することができないという問題が生じる。
【０００４】
そこで、この問題を解決する手段として、例えば特許文献１に記載の技術がある。具体的には、特許文献１には、シンク機器（再生装置）は、非対応のフォーマットの映像音声データをソース機器（供給装置）から受信した場合、ソース機器へ異なるＥＤＩＤ（Extended Display Identification Data）を読み込ませて、ソース機器が認識しているシンク機器の対応フォーマットを更新させることにより、ソース機器にシンク機器が対応可能なフォーマットの映像音声データを送信させることが記載されている。
【先行技術文献】
【特許文献】
【０００５】
【特許文献１】特開２０１２−１９９６４３号公報（２０１２年１０月１８日公開）
【発明の概要】
【発明が解決しようとする課題】
【０００６】
上述のように、４Ｋおよび８Ｋの映像音声データには様々なフォーマットが使用されているため、各フォーマットに適合する複数の端子を備える再生装置が開発されている。
【０００７】
例えば、端子として、高品質映像（4K60P Y,Cb,Cr 4:4:4）フォーマット対応の第１端子と、（相対的に）低品質映像（4K60P Y,Cb,Cr 4:2:0）フォーマット対応の第２端子とを備える再生装置が開発されている。ここで、第２端子は高機能（HDCP2.2）対応であり、第１端子は高機能には非対応である。将来的には全ての端子で4K60P Y,Cb,Cr 4:4:4およびHDCP2.2の両方に対応の予定であるが、現状は４Ｋの過渡期であり、チップのスペックが十分でないために端子毎に得意、不得意を設けて、再生装置全体として両方に対応できるように設計されている。
【０００８】
この再生装置を、高品質映像フォーマットの映像データを供給可能な供給装置と接続したときの動作については次の通りである。供給装置を第１端子と接続した場合、供給装置は、再生装置の第１端子が高品質映像フォーマットに対応していることを検出し、高品質映像データを再生装置に送信する。一方、供給装置を第２端子と接続した場合、供給装置は、再生装置の第２端子が受け入れ可能なフォーマット（低品質映像フォーマット）を検出し、低品質映像データを再生装置に送信する。
【０００９】
ここで、高品質映像データを供給可能な供給装置を第２端子に接続し、供給装置が高品質映像データを誤って送信した場合、上記の従来技術を適用することにより、再生装置は第２端子の受け入れ可能なフォーマットの映像データ（低品質映像データ）を受信し、再生することはできる。しかしながら、この再生された映像の品質は、当該再生装置が再生可能な最高の品質の映像（高品質映像）ではない。この際、再生装置は正常に映像を再生しており、ユーザに対して何も通知しないため、画面に表示された映像を見て映像データの品質が判別できるようなユーザでなければ、再生装置が再生可能な最高品質の映像が再生されているかどうかわからないという問題がある。
【００１０】
本発明は、上記の問題点に鑑みてなされたものであり、その目的は、ユーザが再生装置の機能を最大限に利用することが容易な再生装置、テレビジョン受信機、再生装置の制御方法、制御プログラムおよび記録媒体を実現することにある。
【課題を解決するための手段】
【００１１】
上記の課題を解決するために、本発明の一態様に係る再生装置は、複数の接続子と、上記複数の接続子の何れかに接続された供給装置から供給される映像音声データを取得する取得手段と、上記取得手段が取得した映像音声データに基づいて、該映像音声データが表す映像および音声の一方又は両方を再生する再生手段と、を備えた再生装置において、上記供給装置から供給される映像音声データのフォーマットが、上記供給装置との接続に利用されている第１の接続子が受け入れ不能なフォーマットである場合、上記供給装置との接続に利用する接続子を、当該映像音声データのフォーマットを受け入れ可能な第２の接続子に切り替えることを勧めるレコメンドを作成するレコメンド作成手段を備え、上記取得手段は、上記の場合、上記供給装置から供給される映像音声データを、上記第１の接続子が受け入れ可能なフォーマットの映像音声データに切り替え、上記再生手段は、上記の場合、上記取得手段が取得した映像音声データであって、上記第１の接続子が受け入れ可能なフォーマットの映像音声データに基づいて、映像および音声の一方又は両方を再生すると共に、上記レコメンド作成手段が作成したレコメンドを再生することを特徴としている。
【００１２】
また、上記の課題を解決するために、本発明の一態様に係る再生装置は、複数の接続子と、上記複数の接続子の何れかに接続された供給装置から供給される映像音声データを取得する取得手段と、上記取得手段が取得した映像音声データに基づいて、該映像音声データが表す映像および音声の一方又は両方を再生する再生手段と、を備えた再生装置において、上記供給装置との接続に利用されている第３の接続子が受け入れ可能な映像音声データのフォーマットの１つを特定フォーマットとして、上記取得手段が取得した映像音声データのフォーマットが、上記特定フォーマットではなく、かつ、上記特定フォーマットを受け入れ不能な第４の接続子であって、上記取得手段が取得した映像音声データのフォーマットを受け入れ可能な第４の接続子がある場合、上記供給装置との接続に利用する接続子を、第４の接続子に切り替えることを勧めるレコメンドを作成するレコメンド作成手段を備え、上記再生手段は、上記の場合、上記取得手段が取得した映像音声データに基づいて、映像および音声の一方又は両方を再生すると共に、上記レコメンド作成手段が作成したレコメンドを再生することを特徴としている。
【００１３】
また、上記の課題を解決するために、本発明の一態様に係る再生装置の制御方法は、複数の接続子と、上記複数の接続子の何れかに接続された供給装置から供給される映像音声データを取得する取得手段と、上記取得手段が取得した映像音声データに基づいて、該映像音声データが表す映像および音声の一方又は両方を再生する再生手段と、を備えた再生装置の制御方法において、上記供給装置から供給される映像音声データのフォーマットが、上記供給装置との接続に利用されている第１の接続子が受け入れ不能なフォーマットである場合、上記供給装置との接続に利用する接続子を、当該映像音声データのフォーマットを受け入れ可能な第２の接続子に切り替えることを勧めるレコメンドを作成するレコメンド作成ステップと、上記の場合、上記供給装置から供給される映像音声データを、上記第１の接続子が受け入れ可能なフォーマットの映像音声データに切り替えて、当該映像音声データを上記供給装置から取得する取得ステップと、上記の場合、上記取得ステップにおいて取得された映像音声データであって、上記第１の接続子が受け入れ可能なフォーマットの映像音声データに基づいて、映像および音声の一方又は両方を再生すると共に、上記レコメンド作成ステップにおいて作成されたレコメンドを再生する再生ステップと、を含むことを特徴としている。
【００１４】
また、上記の課題を解決するために、本発明の一態様に係る再生装置の制御方法は、複数の接続子と、上記複数の接続子の何れかに接続された供給装置から供給される映像音声データを取得する取得手段と、上記取得手段が取得した映像音声データに基づいて、該映像音声データが表す映像および音声の一方又は両方を再生する再生手段と、を備えた再生装置の制御方法において、上記供給装置から第３の接続子を介して映像音声データを取得する取得ステップと、上記第３の接続子が受け入れ可能な映像音声データのフォーマットの１つを特定フォーマットとして、上記取得ステップにおいて取得された映像音声データのフォーマットが、上記特定フォーマットではなく、かつ、上記特定フォーマットを受け入れ不能な第４の接続子であって、上記取得ステップにおいて取得された映像音声データのフォーマットを受け入れ可能な第４の接続子がある場合、上記供給装置との接続に利用する接続子を、第４の接続子に切り替えることを勧めるレコメンドを作成するレコメンド作成ステップと、上記の場合、上記取得ステップにおいて取得された映像音声データに基づいて、映像および音声の一方又は両方を再生すると共に、上記レコメンド作成ステップにおいて作成されたレコメンドを再生する再生ステップと、を含むことを特徴としている。
【発明の効果】
【００１５】
本発明の一態様によれば、ユーザが上記再生装置の機能を容易に最大限利用することができるという効果を奏する。
【図面の簡単な説明】
【００１６】
【図１】本発明の実施形態１に係る再生装置の要部構成を示すブロック図である。
【図２】上記再生装置と供給装置との接続関係および上記再生装置が表示する画面の一例を示す図である。
【図３】上記再生装置と供給装置との接続関係および上記再生装置が表示する画面の一例を示す図である。
【図４】上記再生装置が実行するレコメンド表示処理の流れの一例を示すシーケンス図である。
【図５】上記再生装置と供給装置との接続関係および上記再生装置が表示する画面の一例を示す図である。
【図６】上記再生装置が実行するフラグ設定処理の流れの一例を示すフローチャートである。
【図７】上記再生装置が実行する再生処理の流れの一例を示すシーケンス図である。
【図８】上記再生装置と供給装置との接続関係および上記再生装置が表示する画面の一例を示す図である。
【図９】上記再生装置が実行するレコメンド表示処理の流れの一例を示すシーケンス図である。
【図１０】映像音声データの品質に関するレコメンドのテキストテンプレートの一例を示す図である。
【図１１】映像音声データの種類に関するレコメンドのテキストテンプレートの一例を示す図である。
【図１２】本発明の実施形態２に係る再生装置と供給装置との接続関係および当該再生装置が表示する画面の一例を示す図である。
【図１３】上記再生装置と供給装置との接続関係および上記再生装置が表示する画面の一例を示す図である。
【発明を実施するための形態】
【００１７】
〔実施形態１〕
以下、本発明の実施の形態について、図１〜図１１に基づいて説明すれば、以下のとおりである。
【００１８】
図１は、本発明の実施形態１に係る再生装置の要部構成の一例を示すブロック図である。再生装置１は、映像音声データを供給する供給装置２と接続し、当該供給装置２から取得した映像音声データが表す映像および音声の一方又は両方を再生するものである。再生装置１は、例えば、テレビジョン受信機、ＰＣ、タブレット端末、スマートフォン、携帯情報端末、携帯ゲーム機等である。図１に示すように、再生装置１は、制御部１１、記憶部１２、接続部１３、表示部１４、音声出力部１５および操作部１６を備える。
【００１９】
接続部１３は、ＨＤＭＩ（High-Definition Multimedia Interface）（登録商標）ケーブル等により、映像音声データを供給する供給装置２等と接続し、データのやりとりを行うためのインターフェースである。本実施形態では、接続部１３は、図１に示すように、端子１３ａ〜ｄの４つの端子から構成される。また、本実施形態では、端子１３ａ〜ｄは、ＨＤＭＩ端子であり、端子１３ａ〜ｃは、高品質映像（4K60P Y,Cb,Cr 4:4:4）フォーマット対応の端子（第２の接続子、第３の接続子）であり、端子１３ｄは、（相対的に低品質である）低品質映像（4K60P Y,Cb,Cr 4:2:0）フォーマット対応の端子（第１の接続子、第４の接続子）である。
【００２０】
また、本実施形態では、端子１３ａ〜ｄは、ＨＤＭＩ端子であるが、これに限るものではない。例えば、端子１３ａ〜ｄは、ＤＶＩ（Digital Visual Interface）端子、DisplayPort端子であってもよい。さらに、本実施形態では、接続部１３は、物理的なケーブル（有線）によって供給装置２等と接続する端子を備えるが、これに限るものではない。例えば、接続部１３は、供給装置２等と無線通信する無線通信部を備えていてもよい。また、接続部１３が備える端子数は４つに限らず、２つ以上であればよい。
【００２１】
まとめると、接続部１３は、少なくとも２つの接続子（端子または無線通信部等）を備え、当該２つの接続子は、受け入れ可能な映像音声データのフォーマットが互いに異なるものである。具体的には、上記２つの接続子は、サンプリング周波数、色深度（Deep color）、解像度、フレーム数、音声品質（例えば、ハイレゾ対応／非対応）ＭＨＬ（Mobile High-definition Link）、ＡＲＣ（Audio Return Channel）等の少なくとも１つに関して、受け入れ可能な映像音声データのフォーマットが異なる。
【００２２】
「受け入れ可能な映像音声データのフォーマットが互いに異なる」とは、例えば、２つの接続子が受け入れ可能な映像音声データの品質の程度（上限（値））が異なることを意味する。また、例えば、２つの接続子が受け入れ可能な映像音声データのフォーマット（規格）種類が異なることを意味する。また、例えば、２つの接続子が対応しているインターフェース規格の種類が異なることを意味する。具体的には、一方の接続子は或るデータフォーマットを受け入れ可能である（或る規格に対応している）が、他方の接続子は当該或るデータフォーマットを受け入れることができない（当該或る規格に非対応である）ことを意味する。
【００２３】
また、例えば、一方の接続子（第２の接続子、第３の接続子）は、上位のフォーマットに対応しており、他方の接続子（第１の接続子、第４の接続子）は、下位のフォーマットに対応していてもよい。ここで、「上位・下位」とは、上位のフォーマットに対応している一方の接続子は、下位のフォーマットにも対応しており、下位のフォーマットに対応している他方の接続子は、上位のフォーマットに非対応であることを意味する。例えば、上記の高品質映像フォーマットが上位のフォーマットであり、低品質映像フォーマットが下位のフォーマットである。また、例えば、ＭＨＬ対応の端子は、上位のフォーマットに対応している端子であり、ＭＨＬ非対応の端子は、下位のフォーマットに対応している端子である。
【００２４】
また、端子が受け入れ可能な最上位のフォーマットをベストフォーマットと称する。例えば、高品質映像フォーマット対応の端子のベストフォーマットは、高品質映像フォーマットであり、ＭＨＬ対応の端子のベストフォーマットは、ＭＨＬフォーマットである。
【００２５】
なお、映像音声データとは、映像データまたは音声データのどちらか一方を少なくとも含むデータである。
【００２６】
また、供給装置２は、映像音声データを再生装置１に供給するものである。供給装置２は、例えば、レコーダー、デジタルビデオカメラ、デジタルカメラ、サーバ、記憶装置、ＳＴＢ（Set Top Box）、ゲーム機、スマートフォン、携帯情報端末等である。
【００２７】
表示部１４は、制御部１１の指示に従って画像を表示するものである。表示部１４は、制御部１１の指示に従って画像を表示するものであればよく、例えば、ＬＣＤ（液晶ディスプレイ）、有機ＥＬディスプレイ、プラズマディスプレイなどを適用することが可能である。
【００２８】
音声出力部１５は、制御部１１から電気信号を受信し、受信した電気信号を音に変換し、再生装置１の外部に音を出力（再生）するものである。音声出力部１５は、いわゆるスピーカである。
【００２９】
操作部１６は、ユーザが再生装置１に指示信号を入力し、再生装置１を操作するためのものである。操作部１６は、操作ボタンなどの入力機器等で構成されているものであってもよい。また、操作部１６は、表示部１４と一体となっているタッチパネルであってもよい。また、操作部１６は、再生装置１と別体のリモートコントローラ等の遠隔制御装置であってもよい。
【００３０】
制御部１１は、記憶部１２から一時記憶部（不図示）に読み出されたプログラムを実行することにより、各種の演算を行うと共に、再生装置１が備える各部を統括的に制御するものである。
【００３１】
本実施形態では、制御部１１は、機能ブロックとして、データ取得部（取得手段）２１、再生制御部（再生手段）２２、ＥＤＩＤ設定部（擬装手段）２３、接続制御部２４、レコメンド作成部（レコメンド作成手段）２５およびフラグ設定部（設定手段）２６を備える構成である。これらの制御部１１の各機能ブロック（２１〜２６）は、ＣＰＵ（central processing unit）が、ＲＯＭ（read only memory）等で実現された記憶装置に記憶されているプログラムをＲＡＭ（random access memory）等で実現された一時記憶部に読み出して実行することで実現できる。
【００３２】
データ取得部２１は、接続部１３を介して、供給装置２から映像音声データを取得するものである。データ取得部２１は、（正常に）取得した映像音声データを再生制御部２２に出力する。また、データ取得部２１は、供給装置２から正常に映像音声データを取得した場合、その旨をレコメンド作成部２５に通知する。以下では、この通知をデータ取得通知と称する。
【００３３】
データ取得部２１は、接続部１３が映像音声データを認識できない場合（供給装置２から映像音声データを正常に取得できない場合、または、供給装置２から映像音声データを取得できない場合）、その旨をＥＤＩＤ設定部２３、接続制御部２４およびレコメンド作成部２５に通知する。以下では、この通知を認識不可通知と称する。
【００３４】
再生制御部２２は、データ取得部２１から映像音声データを取得し、取得した映像音声データに基づいて、該映像音声データが表す映像および音声の一方又は両方を再生する。具体的には、再生制御部２２は、取得した映像データ、音声データを表示部１４、音声出力部１５にそれぞれ出力し、映像データが表す映像を表示部１４に表示させたり、音声データが表す音声を音声出力部１５から出力させたりする。
【００３５】
また、再生制御部２２は、レコメンド作成部２５から後述のレコメンドを受信した場合、映像および音声の一方又は両方を再生すると共に、受信したレコメンドを再生する。具体的には、再生制御部２２は、データ取得部２１から取得した映像データに基づく映像に、受信したレコメンドを重畳させて表示部１４に表示させる。また、再生制御部２２は、レコメンド作成部２５が作成したレコメンドを音声として音声出力部１５から出力させてもよい。なお、再生制御部２２は、記憶部１２に格納されているレコメンド非表示フラグ３１がＴＲＵＥの場合、レコメンドを再生しない（詳細は後述）。
【００３６】
ＥＤＩＤ設定部２３は、端子１３ａ〜ｄ毎に、当該端子が受け入れ可能な映像音声データのフォーマットを示すＥＤＩＤを設定するものである。ＥＤＩＤ設定部２３は、設定したＥＤＩＤを記憶部１２に格納する。例えば、ＥＤＩＤは、端子が受け入れ可能な映像音声データのフォーマットを示す情報（例えば、フォーマットを一義的に特定するためのフォーマットＩＤ）を列挙したデータ列である。
【００３７】
本実施形態では、ＥＤＩＤ設定部２３は、予め各端子のＥＤＩＤを擬装する。具体的には、ＥＤＩＤ設定部２３は、再生装置１全体として（各端子１３ａ〜ｄの何れかにおいて）受け入れ可能な映像音声データの（最上位の）フォーマットを特定する。ＥＤＩＤ設定部２３は、特定した再生装置１全体として対応可能なフォーマットを示すＥＤＩＤを生成し、生成したＥＤＩＤ（擬装ＥＤＩＤ（擬装フォーマット情報））を各端子のＥＤＩＤとして擬装して設定する。ＥＤＩＤ設定部２３は、設定した擬装ＥＤＩＤを記憶部１２に格納する。また、換言すると、ＥＤＩＤ設定部２３は、第１の接続子のＥＤＩＤを、第２の接続子の受け入れ可能な映像音声データのフォーマットを示す擬装ＥＤＩＤに一時的に変更する。
【００３８】
より具体的には、本実施形態では、端子１３ａ〜ｃは、高品質映像（4K60P Y,Cb,Cr 4:4:4）フォーマット対応の端子であり、端子１３ｄは、低品質映像（4K60P Y,Cb,Cr 4:2:0）フォーマット対応の端子であるため、ＥＤＩＤ設定部２３は、再生装置１全体の対応範囲を高品質映像（4K60P Y,Cb,Cr 4:4:4）とする。そして、ＥＤＩＤ設定部２３は、高品質映像（4K60P Y,Cb,Cr 4:4:4）フォーマット対応を示す擬装ＥＤＩＤを全ての端子１３ａ〜ｄに設定する。ここで、端子１３ｄは、本来、低品質映像（4K60P Y,Cb,Cr 4:2:0）フォーマット対応の端子であるが、端子１３ｄのＥＤＩＤの示す内容が高品質映像（4K60P Y,Cb,Cr 4:4:4）フォーマット対応の端子として擬装されている。以下では、ＥＤＩＤ設定部２３が予め各端子のＥＤＩＤを擬装する処理をＥＤＩＤ擬装処理と称する。
【００３９】
また、ＥＤＩＤ設定部２３は、データ取得部２１から、接続部１３（端子１３ａ〜ｄの何れか）が映像音声データを認識できない認識不可通知を受信すると、当該認識不可通知の示す端子のＥＤＩＤを本来のＥＤＩＤに戻す。すなわち、ＥＤＩＤ設定部２３は、擬装したＥＤＩＤから本来のＥＤＩＤに変更して、変更した本来のＥＤＩＤを記憶部１２に格納する。ＥＤＩＤ設定部２３は、ＥＤＩＤの変更が完了すると、その旨、接続制御部２４に通知する。以下では、この通知をＥＤＩＤ変更通知と称する。
【００４０】
なお、各端子の本来のＥＤＩＤは、デフォルトの情報としてＥＤＩＤ３２とは別に記憶部１２に格納されているものとする。
【００４１】
また、レコメンド非表示フラグが設定されている場合、ＥＤＩＤ設定部２３は、レコメンド非表示フラグがＦＡＬＳＥの場合にのみ、上述のＥＤＩＤ擬装処理を実行する。
【００４２】
また、本実施形態では、記憶部１２にＥＤＩＤ３２が格納されているが、格納場所はこれに限るものではない。例えば、接続部１３が各端子１３ａ〜ｄにそれぞれ付随する４つの記憶部（メモリ、レジスタ）を備えており、各記憶部に、対応する端子のＥＤＩＤが格納されていてもよい。この場合、ＥＤＩＤ設定部２３は、各記憶部に格納されているＥＤＩＤを書き換える。
【００４３】
また、本実施形態では、再生装置１と供給装置２とがＨＤＭＩ規格によりデータを伝送するため、ＥＤＩＤを用いているが、これに限るものではなく、各端子が受け入れ可能な映像音声データのフォーマットを示す対応フォーマット情報であれば、任意の情報を用いてもよい。
【００４４】
接続制御部２４は、接続部１３と供給装置２等の外部の装置との接続を制御するものである。
【００４５】
本実施形態では、接続制御部２４は、まず、接続部１３を介して、供給装置２から所定の電圧（例えば、＋５Ｖ）の信号が送信されるのを待つ。そして、接続制御部２４は、接続部１３を介して、供給装置２から所定の電圧の信号を受信すると、ホットプラグ検出ラインにHighレベルの信号を送信する。次に、接続制御部２４は、供給装置２からのＥＤＩＤ読み出し要求を待つ。接続制御部２４は、供給装置２からＥＤＩＤ読み出し要求を受信すると、記憶部１２のＥＤＩＤ３２を読み出し、読み出したＥＤＩＤ３２を供給装置２に送信する。
【００４６】
接続制御部２４は、データ取得部２１から認識不可通知を受信すると、ホットプラグ検出ラインにLowレベルの信号を送信し、供給装置２との接続を一旦切断する。そして、接続制御部２４は、ＥＤＩＤ設定部２３からＥＤＩＤ変更通知を受信すると、ホットプラグ検出ラインにHighレベルの信号を送信し、供給装置２と再接続する。
【００４７】
なお、接続部１３が無線通信部を備えている場合、接続制御部２４は、供給装置の無線通信部と再生装置１の無線通信部とを無線通信にて接続する。例えば、接続部１３は、再生装置１と供給装置２との間で、Miracast方式にてwifi通信を確立してもよい。これにより、再生装置１および供給装置２は、双方向で機器情報（上記の対応フォーマット情報等）をやり取りすることができる。
【００４８】
レコメンド作成部２５は、供給装置２と接続している端子から他の端子へ接続を切り替えることをユーザにお勧めすることを示すレコメンドを作成する。レコメンド作成部２５は、作成したレコメンドを再生制御部２２に出力する。
【００４９】
レコメンド作成部２５は、供給装置２から供給される映像音声データのフォーマットが、供給装置２との接続に利用されている端子が受け入れ不能なフォーマットであって、当該フォーマットを受け入れ可能な端子がある場合、レコメンドを作成する。換言すると、レコメンド作成部２５は、再生装置１全体として受け入れ可能な最上位のフォーマットであって、接続している端子が受け入れ不能なフォーマットの映像音声データを供給可能な供給装置２が当該端子と接続しており、当該供給装置２と接続している端子が受け入れ可能なフォーマットの映像音声データが当該供給装置２から送信された場合、レコメンドを作成する。具体的には、レコメンド作成部２５は、データ取得部２１から、供給装置２と接続している端子について、認識不可通知を受信した後にデータ取得通知を受信した場合、レコメンドを作成する。
【００５０】
この場合、レコメンド作成部２５は、まず、供給装置２と接続している端子における、擬装されたＥＤＩＤの示すフォーマットと、本来のＥＤＩＤの示すフォーマットとの差分フォーマットを１または複数特定する。次に、レコメンド作成部２５は、特定した差分フォーマット毎に、擬装ＥＤＩＤの示すフォーマットを受け入れ可能な端子を特定する。そして、レコメンド作成部２５は、記憶部１２からレコメンド情報３３を読み出し、特定した差分フォーマット毎に、特定した端子に接続を切り替えることをユーザにお勧めするレコメンドを作成する。
【００５１】
なお、接続部１３が無線通信部を備えており、当該無線通信部が高品質映像フォーマットに非対応である場合、レコメンド作成部２５は、現在接続している無線通信部から高品質映像フォーマット対応の端子１３ａ〜ｄに接続の切替（無線通信から有線に接続の切替）をお勧めするレコメンドを作成してもよい。また、無線通信部が高品質映像フォーマットに対応している場合、レコメンド作成部２５は、現在接続している低品質映像フォーマット対応の端子１３ｄから無線通信部に接続の切替（有線から無線通信に接続の切替）をお勧めするレコメンドを作成してもよい。
【００５２】
ここで、レコメンド情報３３とは、各フォーマットに関する、レコメンドの内容を示すテキストテンプレート、および、表示部１４に表示するための画像情報等を含む情報である。レコメンド作成部２５は、テンプレートに特定した端子を追記することによりレコメンドを作成する。
【００５３】
また、レコメンド作成部２５は、供給装置２との接続に利用されている端子が受け入れ可能な映像音声データのフォーマットの１つを特定フォーマットとして、供給装置２から取得した映像音声データのフォーマットが特定フォーマットではなく、かつ、特定フォーマットを受け入れ不能な別の端子であって、供給装置２から取得した映像音声データのフォーマットを受け入れ可能な別の端子がある場合、レコメンドを作成してもよい。また、レコメンド作成部２５は、供給装置２から取得した映像音声データのフォーマットが、供給装置２との接続に利用されている端子が受け入れ可能なベストフォーマットではなく、かつ、当該ベストフォーマットを受け入れ不能な端子であって、供給装置２から取得した映像音声データのフォーマットを受け入れ可能な端子がある場合、レコメンドを作成してもよい。具体的には、レコメンド作成部２５は、データ取得部２１から、供給装置２と接続している端子、および、受信した映像音声データのフォーマットを示すデータ取得通知を参照して、上記の場合に該当するかを判定する。
【００５４】
この場合、レコメンド作成部２５は、まず、データ取得部２１から取得したデータ取得通知を参照して、供給装置２から取得した映像音声データのフォーマットが供給装置２と接続している端子の特定フォーマット（例えばベストフォーマット）であるか否かを判定する。レコメンド作成部２５は、特定フォーマットではないと判定した場合、供給装置２から取得した映像音声データのフォーマットと、供給装置２と接続している端子の受け入れ可能なフォーマットとの差分フォーマットを１または複数特定する。次に、レコメンド作成部２５は、特定した差分フォーマット毎に、特定フォーマットを受け入れ不能な別の端子であって、供給装置２から取得した映像音声データのフォーマットに対応している別の端子があるか否かを判定する。レコメンド作成部２５は、上記別の端子があると判定した場合、記憶部１２からレコメンド情報３３を読み出し、特定した差分フォーマット毎に、上記別の端子に接続を切り替えることをユーザにお勧めするレコメンドを作成する。
【００５５】
なお、レコメンド作成部２５は、複数の差分フォーマットを特定した場合、複数のレコメンドを作成してもよい。この場合、再生制御部２２は、複数のレコメンドを映像に重畳させて表示させてもよい。
【００５６】
また、レコメンド作成部２５は、複数の差分フォーマットを特定した場合であって、複数の差分フォーマットにおいて、特定した端子（または上記別の端子）が重複している場合、複数の差分フォーマットにそれぞれ対応する複数のレコメンドを統合して、重複している端子を追記した１つのレコメンドを作成してもよい。
【００５７】
フラグ設定部２６は、再生装置１がレコメンド表示処理を実行するか否かを示すレコメンド非表示フラグ（レコメンド再生情報）３１を設定するものである。フラグ設定部２６は、設定したレコメンド非表示フラグ３１を記憶部１２に格納する。レコメンド非表示フラグ３１がＴＲＵＥの場合、再生装置１はレコメンド表示処理を実行しない。一方、レコメンド非表示フラグ３１がＦＡＬＳＥの場合、再生装置１はレコメンド表示処理を実行する。
【００５８】
本実施形態では、フラグ設定部２６は、デフォルトとして、レコメンド非表示フラグ３１をＦＡＬＳＥに設定する。
【００５９】
フラグ設定部２６は、ユーザの操作に基づいて、すなわち、操作部１６からの信号に基づいて、レコメンド非表示フラグ３１をＴＲＵＥまたはＦＡＬＳＥに設定する。
【００６０】
また、フラグ設定部２６は、再生装置１の起動時に、レコメンド非表示フラグ３１をデフォルト（本実施形態ではＦＡＬＳＥ）に設定してもよい。
【００６１】
また、フラグ設定部２６は、供給装置２との接続が切断された場合、レコメンド非表示フラグをデフォルト（本実施形態ではＦＡＬＳＥ）に設定してもよい。例えば、接続制御部２４が供給装置２から送信される所定の電圧の信号を検出できなくなった場合、フラグ設定部２６は、レコメンド非表示フラグをデフォルトに設定してもよい。これにより、異なる供給装置２を接続した場合に、レコメンドを表示することができる。
【００６２】
また、フラグ設定部２６は、供給装置毎にレコメンド非表示フラグを設定し、各供給装置に対応するレコメンド非表示フラグを記憶部１２に格納してもよい。この場合、再生装置１の起動時、および供給装置２との接続の切断時に、フラグ設定部２６は、レコメンド非表示フラグをデフォルトに設定しない。これにより、供給装置毎に、ユーザが前回設定した状態を維持することができ、不必要にレコメンドを表示することがなくなる。
【００６３】
記憶部１２は、制御部１１が参照するプログラムやデータ等を格納するものであり、例えば、上記のレコメンド非表示フラグ３１、ＥＤＩＤ３２、レコメンド情報３３等を格納している。
【００６４】
（実施例１）
次に、再生装置１が実行するレコメンド表示処理の実施例１について図２〜図４に基づいて説明する。本実施例では、供給装置２から再生装置１に映像データが供給されるものとする。また、供給装置２は、高品質映像（4K60P Y,Cb,Cr 4:4:4）を供給可能であるとする。
【００６５】
まず、再生装置１における通常の再生処理について図２に基づいて説明する。図２は、再生装置１と供給装置２との接続関係および再生装置１に表示される映像の一例を示す図である。
【００６６】
ＥＤＩＤ設定部２３は、予め全ての端子１３ａ〜ｄのＥＤＩＤを高品質映像フォーマット対応に擬装する。図２に示すように、供給装置２は、高品質映像フォーマット対応の端子である端子１３ａに接続される。供給装置２は、ホットプラグ検出ラインにおいてHighレベル信号を受信すると、ＥＤＩＤ読み出し要求を行い、再生装置１から端子１３ａのＥＤＩＤを取得する。このＥＤＩＤはＥＤＩＤ設定部２３により高品質映像フォーマット対応に擬装されたＥＤＩＤであるが、端子１３ａの本来のＥＤＩＤと同一である。供給装置２は、取得したＥＤＩＤに基づいて高品質映像フォーマットの映像データを再生装置１に供給する。端子１３ａは、高品質映像フォーマット対応の端子であるため、供給装置２から供給された映像データを正常に認識することができる。そのため、データ取得部２１は、供給装置２から供給された映像データを、端子１３ａを介して取得し、取得した映像データを再生制御部２２に出力する。再生制御部２２は、取得した映像データに基づいて、表示部１４に映像を表示させる。
【００６７】
次に、再生装置１が実行するレコメンド表示処理について図３および図４に基づいて説明する。図３は、再生装置１と供給装置２との接続関係および再生装置１に表示される映像の一例を示す図である。図４は、再生装置１が実行するレコメンド表示処理の一例を示すフローチャートである。
【００６８】
図４に示すように、まず、ＥＤＩＤ設定部２３が全ての端子を高品質映像フォーマット対応端子としてＥＤＩＤを擬装する。具体的には、ＥＤＩＤ設定部２３は、端子１３ｄのＥＤＩＤを高品質映像（4K60P Y,Cb,Cr 4:4:4）フォーマット対応に変更する（Ｓ１）。
【００６９】
そして、図３に示すように、供給装置２と、端子１３ｄとをＨＤＭＩケーブルで接続する（Ｓ２）。ＨＤＭＩケーブルで再生装置１と供給装置２とが接続されると、供給装置２は、所定の電圧の信号を再生装置１に送信する。接続制御部２４は、端子１３ｄを介して、供給装置２から所定の電圧の信号を受信すると、ホットプラグ検出ラインにおいて、Highレベルの信号を供給装置２に送信する（Ｓ３）。供給装置２は、ホットプラグ検出ラインにおいて、Highレベルの信号を受信すると、端子１３ｄのＥＤＩＤの読み出しを要求するＥＤＩＤ読み出し要求を再生装置１に送信する（Ｓ４）。接続制御部２４は、端子１３ｄを介して、供給装置２からＥＤＩＤ読み出し要求を受信すると、記憶部１２に格納されている端子１３ｄのＥＤＩＤ３２を読み出し、読み出した端子１３ｄのＥＤＩＤ３２を供給装置２に送信する（Ｓ５）。ここで、接続制御部２４が送信したＥＤＩＤ３２は、ＥＤＩＤ設定部２３により擬装されているため、高品質映像（4K60P Y,Cb,Cr 4:4:4）フォーマットを示すＥＤＩＤである。
【００７０】
接続制御部２４がＥＤＩＤを送信すると、データ取得部２１は、供給装置２から映像データが送信されるのを待つ（Ｓ６）。供給装置２は、端子１３ｄのＥＤＩＤを受信し、受信したＥＤＩＤに基づいて、接続している端子１３ｄが高品質映像フォーマット対応端子であることを認識する。そして、供給装置２は、受信したＥＤＩＤに基づいて、高品質映像フォーマットの映像データを再生装置１に送信する（Ｓ７）。
【００７１】
ここで、供給装置２から高品質映像フォーマットの映像データが送信されるが、端子１３ｄは、実際は、高品質映像フォーマットに非対応の端子であるため、供給装置２から送信された映像データを認識できない（Ｓ８でＮＯ）。そのため、データ取得部２１は、端子１３ｄが映像データを認識できなかったことを示す認識不可通知をＥＤＩＤ設定部２３、接続制御部２４およびレコメンド作成部２５に出力する。
【００７２】
接続制御部２４は、データ取得部２１から認識不可通知を受信すると、端子１３ｄを介して、ホットプラグ検出ラインにLowレベルの信号を送信し、供給装置２との接続を一旦切断する（Ｓ９）。また、ＥＤＩＤ設定部２３は、データ取得部２１から、認識不可通知を受信すると、当該認識不可通知の示す端子１３ｄのＥＤＩＤを本来のＥＤＩＤ（低品質映像（4K60P Y,Cb,Cr 4:2:0）フォーマット）に変更して、記憶部１２の端子１３ｄのＥＤＩＤ３２を更新する（Ｓ１０）。そして、ＥＤＩＤ設定部２３は、ＥＤＩＤ変更通知を接続制御部２４に出力する。
【００７３】
一方、供給装置２は、ホットプラグ検出ラインにおいてLowレベルの信号を受信したため、映像データの送信を停止する。
【００７４】
接続制御部２４は、ＥＤＩＤ設定部２３からＥＤＩＤ変更通知を受信すると、所定の時間待った後、端子１３ｄを介して、供給装置２から所定の電圧の信号を受信する。そして、接続制御部２４は、ホットプラグ検出ラインにHighレベルの信号を送信する（Ｓ１２）。
【００７５】
供給装置２は、ホットプラグ検出ラインにおいて、Highレベルの信号を受信すると、端子１３ｄのＥＤＩＤの読み出しを要求するＥＤＩＤ読み出し要求を再生装置１に送信する（Ｓ１３）。接続制御部２４は、端子１３ｄを介して、供給装置２からＥＤＩＤ読み出し要求を受信すると、記憶部１２に格納されている端子１３ｄのＥＤＩＤ３２を読み出し、読み出した端子１３ｄのＥＤＩＤ３２を供給装置２に送信する（Ｓ１４）。ここで、接続制御部２４が送信したＥＤＩＤは、ＥＤＩＤ設定部２３により端子１３ｄの本来のＥＤＩＤに戻されているため、低品質映像（4K60P Y,Cb,Cr 4:2:0）フォーマットを示すＥＤＩＤである。
【００７６】
供給装置２は、端子１３ｄのＥＤＩＤを受信し、受信したＥＤＩＤに基づいて、接続している端子１３ｄが低品質映像フォーマット対応端子であることを認識する。そして、供給装置２は、受信したＥＤＩＤに基づいて、低品質映像フォーマットの映像データを再生装置１に送信する（Ｓ１５）。
【００７７】
端子１３ｄは、低品質映像フォーマットに対応の端子であるため、供給装置２から送信された映像データを認識することができ、データ取得部２１は、供給装置２から正常に低品質映像の映像データを取得する（取得ステップ）。データ取得部２１は、取得した映像データを再生制御部２２に出力するとともに、データ取得通知をレコメンド作成部２５に出力する。そして、再生制御部２２は、データ取得部２１が取得した映像データを表示部１４に出力し、表示部１４に低品質映像を表示させる（Ｓ１６）。
【００７８】
ここで、レコメンド作成部２５は、データ取得部２１から、端子１３ｄについて、認識不可通知を受信した後にデータ取得通知を受信したため、端子１３ｄの擬装されたＥＤＩＤと本来のＥＤＩＤとの差分フォーマットを特定する。本実施例では、レコメンド作成部２５は、高品質映像フォーマットを特定する。そして、レコメンド作成部２５は、擬装されたＥＤＩＤの示す高品質映像フォーマットを受け入れ可能な端子を特定する。本実施例では、レコメンド作成部２５は、端子１３ａ〜ｃを特定する。レコメンド作成部２５は、記憶部１２からレコメンド情報３３を読み出し、特定した端子１３ａ〜ｃに接続を切り替えることにより、高品質映像（4K60P Y,Cb,Cr 4:4:4）を再生することができることをユーザにお勧めするレコメンドを作成する（Ｓ１７：レコメンド作成ステップ）。レコメンド作成部２５は、作成したレコメンドを再生制御部２２に出力する。そして、再生制御部２２は、取得したレコメンドを表示部１４に出力し、図３に示すように、データ取得部２１が取得した映像データが表す映像に重畳させてレコメンドを表示部１４に表示させる（Ｓ１８：再生ステップ）。
【００７９】
なお、Ｓ７において、供給装置２は、接続している端子１３ｄが高品質映像フォーマット対応端子であることを認識しているものの、低品質映像フォーマットの映像データを再生装置１に送信した場合、端子１３ｄは、低品質映像フォーマットに対応の端子であるため、供給装置２から送信された映像データを認識することができる（Ｓ８でＹＥＳ）。そのため、データ取得部２１は、供給装置２から正常に低品質映像フォーマットの映像データを取得し、取得した映像データを再生制御部２２に出力する。そして、再生制御部２２は、データ取得部２１が取得した映像データを表示部１４に出力し、表示部１４に低品質映像を表示させる（Ｓ１９）。
【００８０】
なお、本実施例では、Ｓ４，５およびＳ１３，１４において、供給装置２は、ＥＤＩＤ読み出し要求を送信してから、再生装置１からＥＤＩＤを取得しているが、これに限るものではない。例えば、再生装置１は、ＥＤＩＤ３２を供給装置２がアクセス可能（読み出し可能）に設定していてもよい。この場合、供給装置２は、再生装置１に対してＥＤＩＤ読み出し要求を送信することなく、直接、再生装置１からＥＤＩＤ３２を読み出す。
【００８１】
（実施例２）
次に、再生装置１が実行するレコメンド表示処理の実施例２について図５〜図７に基づいて説明する。本実施例では、供給装置２から再生装置１に映像データが供給されるものとする。また、供給装置２は、高品質映像（4K60P Y,Cb,Cr 4:4:4）を供給可能であるとする。
【００８２】
本実施例では、再生装置１がユーザの操作に基づいて、レコメンド非表示フラグを設定する処理について説明する。図４に示すＳ１７において、図５に示すようなレコメンドを表示した場合、フラグ設定部２６は、フラグ設定処理を実行する。図６は、フラグ設定部２６が実行するフラグ設定処理の一例を示すフローチャートである。
【００８３】
図６に示すように、再生制御部２２が図５に示すレコメンドを表示部１４に表示させている状態において、フラグ設定部２６は、ユーザが操作するのを待つ。ここで、ユーザが「ＹＥＳ」を選択した場合（Ｓ２１でＹＥＳ）、フラグ設定部２６は、レコメンド非表示フラグをＴＲＵＥに設定して、記憶部１２に格納する（Ｓ２２）。一方、ユーザが「ＮＯ」を選択した場合（Ｓ２１でＮＯ）、フラグ設定部２６は、レコメンド非表示フラグをＦＡＬＳＥに設定して、記憶部１２に格納する（Ｓ２３）。
【００８４】
記憶部１２にレコメンド非表示フラグ３１が設定されており、レコメンド非表示フラグ３１がＦＡＬＳＥの場合、再生装置１は、上記の図４に示すレコメンド表示処理を実行する。一方、レコメンド非表示フラグ３１がＴＲＵＥの場合、再生装置１は、レコメンド表示処理を実行せず、図７に示す再生処理を実行する。
【００８５】
図７は、レコメンド非表示フラグ３１がＴＲＵＥの場合に再生装置１が実行する再生処理の一例を示す図である。図７に示す例では、供給装置２は端子１３ｄに接続されており、供給装置２から再生装置１に映像データが供給されるものとする。
【００８６】
図４に示すレコメンド表示処理と異なり、図７に示すように、記憶部１２に格納されているレコメンド非表示フラグ３１がＴＲＵＥの場合、ＥＤＩＤ設定部２３は、ＥＤＩＤ擬装処理を実行しない。そのため、記憶部１２に格納されている端子１３ｄのＥＤＩＤ３２は本来のＥＤＩＤ（低品質映像（4K60P Y,Cb,Cr 4:2:0））である。
【００８７】
まず、供給装置２と、端子１３ｄとをＨＤＭＩケーブルで接続する（Ｓ３１）。ＨＤＭＩケーブルで再生装置１と供給装置２とが接続されると、供給装置２は、所定の電圧の信号を再生装置１に送信する。接続制御部２４は、端子１３ｄを介して、供給装置２から所定の電圧の信号を受信すると、ホットプラグ検出ラインにおいて、Highレベルの信号を供給装置２に送信する（Ｓ３２）。供給装置２は、ホットプラグ検出ラインにおいて、Highレベルの信号を受信すると、端子１３ｄのＥＤＩＤの読み出しを要求するＥＤＩＤ読み出し要求を再生装置１に送信する（Ｓ３３）。接続制御部２４は、端子１３ｄを介して、供給装置２からＥＤＩＤ読み出し要求を受信すると、記憶部１２に格納されている端子１３ｄのＥＤＩＤ３２を読み出し、読み出した端子１３ｄのＥＤＩＤ３２を供給装置２に送信する（Ｓ３４）。上述のように、接続制御部２４が送信したＥＤＩＤ３２は、端子１３ｄの本来のＥＤＩＤであるため、低品質映像フォーマットを示すＥＤＩＤである。
【００８８】
供給装置２は、端子１３ｄのＥＤＩＤを受信し、受信したＥＤＩＤに基づいて、接続している端子１３ｄが低品質映像フォーマット対応端子であることを認識する。そして、供給装置２は、受信したＥＤＩＤに基づいて、低品質映像フォーマットの映像データを再生装置１に送信する（Ｓ３５）。
【００８９】
端子１３ｄは、低品質映像フォーマットに対応の端子であるため、供給装置２から送信された映像データを認識することができ、データ取得部２１は、供給装置２から正常に低品質映像フォーマットの映像データを取得する。データ取得部２１は、取得した映像データを再生制御部２２に出力する。そして、再生制御部２２は、データ取得部２１が取得した映像データを表示部１４に出力し、表示部１４に低品質映像を表示させる（Ｓ３６）。ここで、レコメンド非表示フラグ３１がＴＲＵＥであるため、再生制御部２２は、レコメンドを表示しない。
【００９０】
なお、フラグ設定処理は、図４のＳ１７ではなく、待機時および映像または音声の再生時等、任意の時に行ってもよい。
【００９１】
このように、再生装置１は、ユーザの操作に基づいて、レコメンドの表示／非表示を設定することにより、不要にレコメンドを表示することを防ぐことができる。
【００９２】
なお、本実施例では、Ｓ３３，３４において、供給装置２は、ＥＤＩＤ読み出し要求を送信してから、再生装置１からＥＤＩＤを取得しているが、これに限るものではない。例えば、再生装置１は、ＥＤＩＤ３２を供給装置２がアクセス可能（読み出し可能）に設定していてもよい。この場合、供給装置２は、再生装置１に対してＥＤＩＤ読み出し要求を送信することなく、直接、再生装置１からＥＤＩＤ３２を読み出す。
【００９３】
（実施例３）
次に、再生装置１が実行するレコメンド表示処理の実施例３について図８および図９に基づいて説明する。図８は、再生装置１と供給装置２との接続関係および再生装置１に表示される映像の一例を示す図である。図９は、再生装置１が実行するレコメンド表示処理の一例を示すフローチャートである。
【００９４】
本実施例では、高品質映像フォーマット対応の端子に高品質映像フォーマットの映像データを供給不可能な供給装置２が接続された場合に、高品質映像フォーマットに非対応の端子に接続を切り替えることをお勧めするレコメンドを表示する例を示す。
【００９５】
本実施例では、供給装置２から再生装置１に映像データが供給されるものとする。また、供給装置２は、高品質映像（4K60P Y,Cb,Cr 4:4:4）フォーマットの映像データを供給することができず、低品質映像（4K60P Y,Cb,Cr 4:2:0）フォーマットの映像データのみを供給可能であるとする。また、本実施例では、供給装置２は、高品質映像フォーマット対応の端子である端子１３ａに接続されるものとする。
【００９６】
図９に示すように、まず、ＥＤＩＤ設定部２３が全ての端子を高品質映像フォーマット対応端子としてＥＤＩＤを擬装する（Ｓ４１）。なお、端子１３ａは、高品質映像フォーマット対応の端子であるため、実質的にＥＤＩＤは変更されていない。
【００９７】
そして、図８に示すように、供給装置２と、端子１３ａとをＨＤＭＩケーブルで接続する（Ｓ４２）。ＨＤＭＩケーブルで再生装置１と供給装置２とが接続されると、供給装置２は、所定の電圧の信号を再生装置１に送信する。接続制御部２４は、端子１３ａを介して、供給装置２から所定の電圧の信号を受信すると、ホットプラグ検出ラインにおいて、Highレベルの信号を供給装置２に送信する（Ｓ４３）。供給装置２は、ホットプラグ検出ラインにおいて、Highレベルの信号を受信すると、端子１３ａのＥＤＩＤの読み出しを要求するＥＤＩＤ読み出し要求を再生装置１に送信する（Ｓ４４）。接続制御部２４は、端子１３ａを介して、供給装置２からＥＤＩＤ読み出し要求を受信すると、記憶部１２に格納されている端子１３ａのＥＤＩＤ３２を読み出し、読み出した端子１３ａのＥＤＩＤ３２を供給装置２に送信する（Ｓ４５）。ここで、接続制御部２４が送信したＥＤＩＤ３２は、高品質映像フォーマットを示すＥＤＩＤである。
【００９８】
接続制御部２４がＥＤＩＤを送信すると、データ取得部２１は、供給装置２から映像データが送信されるのを待つ（Ｓ４６）。供給装置２は、端子１３ａのＥＤＩＤを受信し、受信したＥＤＩＤに基づいて、接続している端子１３ａが高品質映像フォーマット対応端子であることを認識する。しかしながら、供給装置２は、高品質映像フォーマットの映像データを供給することができないため、低品質映像フォーマットの映像データしか供給できない。そこで、供給装置２は、受信したＥＤＩＤに基づいて、低品質映像フォーマットの映像データを再生装置１に送信する（Ｓ４７）。
【００９９】
ここで、端子１３ａは、高品質映像フォーマットに対応（すなわち、下位の低品質映像フォーマットに対応）の端子であるため、供給装置２から送信された映像データを認識することができ、データ取得部２１は、供給装置２から正常に低品質映像フォーマットの映像データを取得する（取得ステップ）。データ取得部２１は、取得した映像データを再生制御部２２に出力するとともに、端子１３ａを介して低品質映像フォーマットの映像データを取得したことを示すデータ取得通知をレコメンド作成部２５に出力する。
【０１００】
レコメンド作成部２５は、データ取得部２１からデータ取得通知を取得し、取得したデータ取得通知を参照して、供給装置２から受信した映像データのフォーマットが、ベストフォーマットであるか否かを判定する（Ｓ４８）。本実施例では、低品質映像フォーマットの映像データを受信しているため、レコメンド作成部２５は、受信した映像データのフォーマットは端子１３ａのベストフォーマットではないと判定する（Ｓ４８でＮＯ）。
【０１０１】
次に、レコメンド作成部２５は、端子１３ａのベストフォーマットに非対応の別の端子であって、受信した低品質映像フォーマットの映像データに対応している別の端子が存在するか否かを判定する（Ｓ４９）。本実施例では、端子１３ｄが端子１３ａのベストフォーマットに非対応で受信データのフォーマットに対応しているため、レコメンド作成部２５は、別の端子が存在すると判定する（Ｓ４９でＹＥＳ）。
【０１０２】
そして、この場合、レコメンド作成部２５は、記憶部１２からレコメンド情報３３を読み出し、特定した上記別の端子１３ｄに接続を切り替えることにより、端子１３ａを高品質映像フォーマットの映像データを供給可能な別の供給装置２との接続に利用することができることをユーザにお勧めするレコメンドを作成する（Ｓ５０：レコメンド作成ステップ）。レコメンド作成部２５は、作成したレコメンドを再生制御部２２に出力する。
【０１０３】
そして、再生制御部２２は、データ取得部２１から取得した映像データに基づいて、低品質映像を表示部１４に表示させる（Ｓ５１）。また、再生制御部２２は、図８に示すように、データ取得部２１が取得した映像データに基づく映像に重畳させてレコメンドを表示部１４に表示させる（Ｓ５２：再生ステップ）。
【０１０４】
なお、Ｓ４９において、上記別の端子が無い場合、レコメンド作成部２５は、レコメンドを作成せず、再生制御部２２は、データ取得部２１から取得した映像データに基づいて、単に、低品質映像を表示部１４に表示させる（Ｓ５３）。
【０１０５】
また、Ｓ４７において、供給装置２が高品質映像フォーマットの映像データを送信した場合（接続している供給装置２が高品質映像フォーマットの映像データを供給可能である場合）、Ｓ４８において、レコメンド作成部２５は、受信した映像データのフォーマットが、端子１３ａのベストフォーマットであると判定する（Ｓ４８でＹＥＳ）。この場合、レコメンド作成部２５は、レコメンドを作成せず、再生制御部２２は、データ取得部２１から取得した映像データに基づいて、単に、高品質映像を表示部１４に表示させる（Ｓ５４）。
【０１０６】
なお、本実施例では、Ｓ４４，４５において、供給装置２は、ＥＤＩＤ読み出し要求を送信してから、再生装置１からＥＤＩＤを取得しているが、これに限るものではない。例えば、再生装置１は、ＥＤＩＤ３２を供給装置２がアクセス可能（読み出し可能）に設定していてもよい。この場合、供給装置２は、再生装置１に対してＥＤＩＤ読み出し要求を送信することなく、直接、再生装置１からＥＤＩＤ３２を読み出す。
【０１０７】
（変形例）
上記の各実施例では、サンプリング周波数に関して、供給装置２が供給する映像データのフォーマットと、端子が受け入れ可能なフォーマット（ベストフォーマット）とが異なる場合の再生装置１の処理について説明した。しかしながら、これに限るものではなく、上述のように、色深度（Deep color）、解像度、フレーム数、音声品質、ＭＨＬ、ＡＲＣ等、他の映像音声データの品質および種類が異なる場合でも再生装置１は上記各実施例と同様の処理を行う。
【０１０８】
各映像音声データの品質および種類について、再生装置１が表示するレコメンドの例を図１０および図１１に基づいて説明する。図１０および図１１は、各映像音声データの品質および種類ごとのレコメンドのテキストテンプレートの一例を示す図である。
【０１０９】
図１０および図１１に示す「種類」の列は、映像音声データの品質の種類および映像音声データの種類を示す。また、図１０に示す「対象値の例」の列は、各映像音声データの品質の程度を示す値の例である。また、図１１に示す「対象値の例」の列は、ＭＨＬまたはＡＲＣに対応するか、非対応であるかを示す数値例を示しており、図１１に示す例では、対象値「１」は対応することを示し、対象値「０」は非対応を示す。また、対象値は、例えば、ＥＤＩＤに記述される。図１０および図１１に示す「レコメンド（１）」は、上記の実施例１の場合にレコメンド作成部２５がレコメンドの作成に用いるテキストテンプレートを示す。また、図１０および図１１に示す「レコメンド（２）」は、上記の実施例３の場合にレコメンド作成部２５がレコメンドの作成に用いるテキストテンプレートを示す。
【０１１０】
〔実施形態２〕
本発明の他の実施形態について、図１２および図１３に基づいて説明すれば、以下のとおりである。なお、説明の便宜上、前記実施形態にて説明した部材と同じ機能を有する部材については、同じ符号を付記し、その説明を省略する。
【０１１１】
上記の実施形態１では、主に映像データに関して、供給装置２が供給するデータのフォーマットと、端子が受け入れ可能なフォーマットとが異なる場合の再生装置１の処理について説明した。しかしながら、これに限るものではなく、上述のように、音声データのフォーマットが異なる場合でも再生装置１は上記実施形態１と同様の処理を行う。
【０１１２】
本実施形態では、実施形態１と異なり、接続部１３が端子１３ｅおよび端子１３ｆを備えているものとする。本実施形態では、端子１３ｅはハイレゾフォーマット非対応端子であり、端子１３ｆはハイレゾフォーマット対応端子であるとする。
【０１１３】
ここで、図１３に示すように、ハイレゾフォーマット対応機器である供給装置２がハイレゾフォーマット対応端子である端子１３ｆに接続されている場合、図２に示す例と同様に、データ取得部２１は、端子１３ｆを介して、供給装置２からハイレゾフォーマットの音声データを正常に取得することができる。そのため、図１３に示す例では、再生制御手段は、ハイレゾ音声を音声出力部１５から出力させることができる。
【０１１４】
また、図１２に示すように、ハイレゾフォーマット対応機器である供給装置２がハイレゾフォーマット非対応端子である端子１３ｅに接続されている場合、上記実施例１と同様に、データ取得部２１は、ハイレゾフォーマット対応機器である供給装置２から、ハイレゾフォーマット非対応の端子１３ｅを介して非ハイレゾフォーマット（低品質フォーマット）の音声データを正常に取得する。そのため、レコメンド作成部２５は、端子１３ｆに接続を切り替えることをお勧めするレコメンドを作成し、再生制御部２２は、非ハイレゾ音声を音声出力部１５から出力させると共に、レコメンドを表示部１４に表示させる。
【０１１５】
なお、レコメンド非表示フラグが設定されている場合、本実施形態に係る再生装置１も上記実施例２と同様の処理を行う。また、非ハイレゾフォーマット対応機器がハイレゾフォーマット対応端子である端子１３ｆに接続されている場合、本実施形態に係る再生装置１も上記実施例３と同様の処理を行う。
【０１１６】
〔ソフトウェアによる実現例〕
再生装置１の制御ブロック（特に制御部１１）は、集積回路（ＩＣチップ）等に形成された論理回路（ハードウェア）によって実現してもよいし、ＣＰＵ（Central Processing Unit）を用いてソフトウェアによって実現してもよい。
【０１１７】
後者の場合、再生装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１１８】
〔まとめ〕
本発明の態様１に係る再生装置は、複数の接続子と、上記複数の接続子の何れかに接続された供給装置から供給される映像音声データを取得する取得手段と、上記取得手段が取得した映像音声データに基づいて、該映像音声データが表す映像および音声の一方又は両方を再生する再生手段と、を備えた再生装置において、上記供給装置から供給される映像音声データのフォーマットが、上記供給装置との接続に利用されている第１の接続子が受け入れ不能なフォーマットである場合、上記供給装置との接続に利用する接続子を、当該映像音声データのフォーマットを受け入れ可能な第２の接続子に切り替えることを勧めるレコメンドを作成するレコメンド作成手段を備え、上記取得手段は、上記の場合、上記供給装置から供給される映像音声データを、上記第１の接続子が受け入れ可能なフォーマットの映像音声データに切り替え、上記再生手段は、上記の場合、上記取得手段が取得した映像音声データであって、上記第１の接続子が受け入れ可能なフォーマットの映像音声データに基づいて、映像および音声の一方又は両方を再生すると共に、上記レコメンド作成手段が作成したレコメンドを再生する。
【０１１９】
上記供給装置から供給される映像音声データのフォーマットが第１の接続子が受け入れ不能なフォーマットである場合に、当該フォーマットを受け入れ可能な第２の接続子があるとき、上記供給装置との接続を上記第２の接続子に切り替えることにより、上記再生装置は、当該フォーマットの映像音声データを取得し再生することができる。しかしながら、上記再生装置は、上記供給装置と上記第１の接続子を介して接続している状態では、上記第１の接続子が受け入れ可能なフォーマットの映像音声データを再生することしかできず、上記第１の接続子が受け入れ不能なフォーマットであって、上記第２の接続子が受け入れ可能なフォーマットの映像音声データを再生することができない。すなわち、この場合、上記第１の接続子が受け入れ可能なフォーマットの映像音声データを再生しているものの、上記再生装置の機能（リソース）が最大限に利用されていない。また、このとき、映像および音声の一方又は両方が再生されているため、ユーザは上記再生装置の機能（リソース）が最大限に利用されていないことを認識することが難しい。
【０１２０】
そこで、上記の構成のように、供給装置と接続している第１の接続子から、上記フォーマットを受け入れ可能な第２の接続子へ接続を切り替えることを示すレコメンドを再生することにより、上記再生装置は、上記再生装置の機能を最大限利用できるように、ユーザに対して、上記第２の接続子に接続の切替を促すことができる。よって、ユーザは、レコメンドの内容を認識することにより、上記再生装置の機能を容易に最大限利用することができるという効果を奏する。
【０１２１】
本発明の態様２に係る再生装置は、上記態様１において、上記第１の接続子の受け入れ可能な映像音声データのフォーマットを示す対応フォーマット情報を、上記第２の接続子の受け入れ可能な映像音声データのフォーマットを示す擬装フォーマット情報に一時的に変更する擬装手段をさらに備えていてもよい。
【０１２２】
上記の構成によれば、上記再生装置は、上記擬装手段が一時的に変更した擬装フォーマット情報に基づいて、上記供給装置に映像音声データに供給させることにより、上記供給装置から供給される映像音声データのフォーマットが上記第１の接続子の受け入れ不能なフォーマットである場合、当該フォーマットは上記第２の接続子が受け入れ可能であることがわかる。よって、レコメンド作成手段は、切替先の接続子を容易に特定することができる。
【０１２３】
本発明の態様３に係る再生装置は、上記態様１または２において、上記再生手段にレコメンドを再生させるか否かを示すレコメンド再生情報を設定する設定手段をさらに備え、上記レコメンド再生情報がレコメンドを再生させないことを示す場合、上記再生手段はレコメンドを再生せず、一方、上記レコメンド再生情報がレコメンドを再生させることを示す場合、上記再生手段はレコメンドを再生しもよい。
【０１２４】
上記の構成によれば、上記再生装置は、上記再生装置の機能が最大限利用されていない場合であっても、上記レコメンド再生情報がレコメンドを再生させないことを示す場合、レコメンドを再生しない。そのため、レコメンド再生情報を適宜設定することにより、不要なレコメンドが再生されることを防ぐことができる。
【０１２５】
本発明の態様４に係る再生装置は、上記態様１〜３の何れかにおいて、上記第１の接続子と上記第２の接続子とは、サンプリング周波数、色深度、解像度、フレーム数、音声品質、ＭＨＬ（Mobile High-definition Link）、および、ＡＲＣ（Audio Return Channel）の少なくとも１つに関して、受け入れ可能な映像音声データのフォーマットが異なっていてもよい。
【０１２６】
上記の構成によれば、上記再生装置は、サンプリング周波数、色深度、解像度、フレーム数、音声品質、ＭＨＬ、および、ＡＲＣの少なくとも１つに関して、上記再生装置の機能が最大限利用されていない場合に、上記レコメンドを再生することができる。
【０１２７】
本発明の態様５に係る再生装置は、複数の接続子と、上記複数の接続子の何れかに接続された供給装置から供給される映像音声データを取得する取得手段と、上記取得手段が取得した映像音声データに基づいて、該映像音声データが表す映像および音声の一方又は両方を再生する再生手段と、を備えた再生装置において、上記供給装置との接続に利用されている第３の接続子が受け入れ可能な映像音声データのフォーマットの１つを特定フォーマットとして、上記取得手段が取得した映像音声データのフォーマットが、上記特定フォーマットではなく、かつ、上記特定フォーマットを受け入れ不能な第４の接続子であって、上記取得手段が取得した映像音声データのフォーマットを受け入れ可能な第４の接続子がある場合、上記供給装置との接続に利用する接続子を、第４の接続子に切り替えることを勧めるレコメンドを作成するレコメンド作成手段を備え、上記再生手段は、上記の場合、上記取得手段が取得した映像音声データに基づいて、映像および音声の一方又は両方を再生すると共に、上記レコメンド作成手段が作成したレコメンドを再生する。
【０１２８】
上記取得手段が取得した映像音声データのフォーマットが、上記特定フォーマットではなく、かつ、上記特定フォーマットを受け入れ不能な第４の接続子であって、上記取得手段が取得した映像音声データのフォーマットを受け入れ可能な第４の接続子がある場合、上記供給装置と接続している第３の接続子の機能を有効に利用できておらず、かつ、上記供給装置が供給する映像音声データのフォーマットを受け入れ可能な接続子が別に存在している。すなわち、この場合、上記再生装置の機能（リソース）が最大限に利用されていない。
【０１２９】
そこで、上記の構成のように、供給装置と接続している第３の接続子から、第４の接続子へ接続を切り替えることを示すレコメンドを再生することにより、上記再生装置は、上記再生装置の機能を最大限利用できるように、ユーザに対して、上記別の接続子に接続の切替を促すことができる。よって、ユーザは、レコメンドの内容を認識することにより、上記再生装置の機能を容易に最大限利用することができるという効果を奏する。
【０１３０】
本発明の態様１〜５の何れかに係る再生装置を備えることを特徴とするテレビジョン受信機も本発明の範疇に含まれる。
【０１３１】
本発明の態様７に係る再生装置の制御方法は、複数の接続子と、上記複数の接続子の何れかに接続された供給装置から供給される映像音声データを取得する取得手段と、上記取得手段が取得した映像音声データに基づいて、該映像音声データが表す映像および音声の一方又は両方を再生する再生手段と、を備えた再生装置の制御方法において、上記供給装置から供給される映像音声データのフォーマットが、上記供給装置との接続に利用されている第１の接続子が受け入れ不能なフォーマットである場合、上記供給装置との接続に利用する接続子を、当該映像音声データのフォーマットを受け入れ可能な第２の接続子に切り替えることを勧めるレコメンドを作成するレコメンド作成ステップと、上記の場合、上記供給装置から供給される映像音声データを、上記第１の接続子が受け入れ可能なフォーマットの映像音声データに切り替えて、当該映像音声データを上記供給装置から取得する取得ステップと、上記の場合、上記取得ステップにおいて取得された映像音声データであって、上記第１の接続子が受け入れ可能なフォーマットの映像音声データに基づいて、映像および音声の一方又は両方を再生すると共に、上記レコメンド作成ステップにおいて作成されたレコメンドを再生する再生ステップと、を含む。
【０１３２】
上記の構成によれば、上記態様１に係る再生装置と同様の効果を奏する。
【０１３３】
本発明の態様８に係る再生装置の制御方法は、複数の接続子と、上記複数の接続子の何れかに接続された供給装置から供給される映像音声データを取得する取得手段と、上記取得手段が取得した映像音声データに基づいて、該映像音声データが表す映像および音声の一方又は両方を再生する再生手段と、を備えた再生装置の制御方法において、上記供給装置から第３の接続子を介して映像音声データを取得する取得ステップと、上記第３の接続子が受け入れ可能な映像音声データのフォーマットの１つを特定フォーマットとして、上記取得ステップにおいて取得された映像音声データのフォーマットが、上記特定フォーマットではなく、かつ、上記特定フォーマットを受け入れ不能な第４の接続子であって、上記取得ステップにおいて取得された映像音声データのフォーマットを受け入れ可能な第４の接続子がある場合、上記供給装置との接続に利用する接続子を、第４の接続子に切り替えることを勧めるレコメンドを作成するレコメンド作成ステップと、上記の場合、上記取得ステップにおいて取得された映像音声データに基づいて、映像および音声の一方又は両方を再生すると共に、上記レコメンド作成ステップにおいて作成されたレコメンドを再生する再生ステップと、を含む。
【０１３４】
上記の構成によれば、上記態様５に係る再生装置と同様の効果を奏する。
【０１３５】
本発明の各態様に係る再生装置は、コンピュータによって実現してもよく、この場合には、コンピュータを上記再生装置が備える各手段として動作させることにより上記再生装置をコンピュータにて実現させる再生装置の制御プログラム、およびそれを記録したコンピュータ読み取り可能な記録媒体も、本発明の範疇に入る。
【０１３６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１３７】
本発明は、受け入れ可能な映像音声データの対応範囲が互いに異なる複数の接続子を備える再生装置に利用することができる。
【符号の説明】
【０１３８】
１  再生装置
２  供給装置
１３ａ〜ｆ  端子（接続子）
２１  データ取得部（取得手段）
２２  再生制御部（再生手段）
２３  ＥＤＩＤ設定部（擬装手段）
２４  接続制御部
２５  レコメンド作成部（レコメンド作成手段）
２６  フラグ設定部（設定手段）
【図１】
2015211438.tif 000003
【図２】
2015211438.tif 000004
【図３】
2015211438.tif 000005
【図４】
2015211438.tif 000006
【図５】
2015211438.tif 000007
【図６】
2015211438.tif 000008
【図７】
2015211438.tif 000009
【図８】
2015211438.tif 000010
【図９】
2015211438.tif 000011
【図１０】
2015211438.tif 000012
【図１１】
2015211438.tif 000013
【図１２】
2015211438.tif 000014
【図１３】
2015211438.tif 000015